(57)【要約】      （修正有）【課題】観賞魚等を水槽で飼育する場合、ポンプによるエアレーションが必要となるが、エアレーションで発生する細かな泡が水面で連続的に弾けることから、ガラス蓋や上部フィルター等の機器が飛散した微細な水滴によって濡れ汚れてしまったり、また、海水水槽では飛び散った海水が機器に付着し塩の結晶が沈着して、これによる塩垂れと呼ばれる水槽外への塩水の染み出す原因となっていることから、エアレーションによる水の水槽内外への飛散を防止する。【解決手段】水槽内水面付近に浮遊状態で設置されたフローター方式の泡消装置の直下につり下げられるエアストーンまたは、直下に配置される水中フィルターからの上昇気泡を、泡消装置内の泡受け拡散板本体１で受け、泡消しカウル２へ導く構造にしたことによって、気泡の細かさ、気泡量の影響を受けにくくしながら海水、淡水共に効率的に泡を消し水槽内への不快な水滴飛散を防止できるようにした。【選択図】図３
2014018203.tif 000002
【特許請求の範囲】
【請求項１】
泡受け拡散板（１）で本泡消装置の下方中心に設置されたエアストーン及び水中フィルターから上昇する微細な泡を受け、水平方向に放射状に均等に泡水流を拡散して、泡受け拡散板（１）の周囲にトーラス状に配置される泡消しカウル（２）の内側側壁部位（Ｓ４）に局所的にぶつけ、次々に押し寄せる泡の圧力によって泡を消すと同時に、泡受け拡散板（１）上部と泡消しカウル（２）内のり天井との間にできる空間に泡を誘導して更なる消泡を行う働きを有することを特徴とする、フローター方式の泡消装置。
【請求項２】
請求項１記載の、泡受け板下部（１ｂ）には、泡の減衰及び泡の均等適切な拡散誘導のための放射状または同心円状の溝及び段差を有していることを特徴とする、フローター方式の泡消装置。
【請求項３】
本泡消し装置から、本請求１記載の、硬質エアーチューブ（３）及びＬ型チューブジョイント（４）を外した泡受け拡散板（１）及び泡消しカウル（２）の中央貫通口に水中フィルター接続アタッチメント（７）の貫通口よりも細身のポール部分を貫通させることにより、本発明装置はビギナー向けとして人気がある既存の水中フィルターの上部中心水面位置に位置合わせ接続することができ、容易に連携利用する機能を有するこを特徴とする、フローター方式の泡消装置。
【発明の詳細な説明】
【技術分野】
【０００１】  本発明は、観賞魚水槽でのエアレーション時における水面での泡の破裂による水槽水の飛散防止に関するものである。
【背景技術】
【０００２】  観賞魚等を水槽で飼育する際、ある程度の生体数になるとポンプによるエアレーションは酸素欠乏防止のために不可欠となる。一般的に水槽内でのエアレーションは、エアストーンやエアストーンを内部に仕込んだ水中フィルター等でポンプから送られた空気を小さな泡にして水中に連続的に放出することによって行われるが、これら泡が水面まで上昇し破裂することによって水滴がガラスフタ、上部フィルター等々の水槽内機器及び水槽外に飛散し汚れるために、何らかの泡消装置がなければこの問題の回避は困難であった。ネットでは飛散は不可避であるので水面を下げる、エアの吹き出し量を弱めるなどの消極的な対処法の書き込みが散見される。
【先行技術文献】
【特許文献】
【０００３】
【特許文献１】特開２０００−９３０４１（Ｐ２０００−９３０４１Ａ）
【非特許文献】
【０００４】
【非特許文献１】特許公開２００５−９５１２８号  公報
【非特許文献２】特開平１１−００００７８
【発明の概要】
【発明が解消しようとする課題】
【０００５】  この水の飛散問題を緩和する目的も含めて極微細な泡を発生するエアストーンも市販されているが、極微細な泡でも破裂時に水滴が飛び散る状況は大きく変わらず特に海水に於いては周囲への海水飛散による塩垂れ等の問題は大きくは軽減されない。また、前記、特許文献１及び非特許文献２のような蓋付きで上部に空気放出口を有する筒状の筐体中にエアストーンを入れ泡を隔離して消す方式が既に提案されているが、水槽内に縦に筐体が設置され水槽内のスペースが取られてしまうことによる美観的の喪失、コケなどの付着があった場合に清掃が面倒なことなどマイナス面も大きい。また、海水の場合、水質が汚れて粘性が出てきた場合に泡が結合して巨大化した泡が筒内を埋め尽くし空気放出口から泡が噴出するなど狭い空間に泡を連続的に流し込む際の問題もある。また、上記、非特許文献２では、水面下の筒状の筐体は有していないものの、水面に浮くドーム型ケースによって囲われた内水面に泡が流し込まれる際の泡の衝撃によって、泡が巨大化し上部の空気放出口を塞いだりするのは先のケースと同様である。
【０００６】  本発明はかかる事情に鑑みてなされたもので、前記従来の水の飛散の問題を解決した、新規な泡消し装置を提供することを目的とするものである。
【課題を解決するための手段】
【０００７】  そして、本発明は上記目的を達成するため、本請求項１で説明した泡受け拡散板（１）で本泡消装置の下方中心に設置されたエアストーン及び水中フィルターから上昇する微細な泡を受け、水平方向に放射状に均等に泡水流を拡散して、泡受け拡散板（１）の周囲にトーラス状に配置される泡消しカウル（２）の内側側壁部位（Ｓ４）に局所的にぶつけ、次々に押し寄せる泡の圧力によって泡を消すと同時に、泡受け拡散板（１）上部と泡消しカウル（２）内のり天井との間にできる空間に泡を誘導して更なる消泡を行う働きを有することを特徴としている（図３参照）。
【０００８】  また、本発明では上記目的を達成するため、泡受け拡散板（１）に当たった上方泡水流を効率的に水平放射方向に整流し、泡消しカウル（２）内壁に衝突させる必要があるが、この適切な水流を達成するために泡受け拡散板・整流部品（１ｂ）には、泡の均等な拡散または流速調節のための放射状または同心円状の溝及び段差を施すことも必要に応じ行われるものとする。
【０００９】  さらに本発明は、既存の水中フィルターに後付けで設置しても水の飛散防止効果を上げることも目的としているが、本請求１記載の、硬質エアーチューブ（３）及びチューブジョイント（４）を外した泡受け拡散板（１）及び泡消しカウル（２）の中央貫通口に水中フィルター接続アタッチメント（７）の貫通口よりも細身のポール部分を貫通させることにより、本発明装置はビギナー向けとして人気がある既存の水中フィルターの上部中心水面位置に位置合わせ接続することができ、容易に連携利用する機能を有することも特徴とするものである。
【発明の効果】
【００１０】  上述したように本発明のフローター方式の泡消装置によってエアレーションによる水の水槽内外への飛散による汚れを最小限に抑えることができる。海水水槽では飛び散った海水が機器に付着し塩の結晶が沈着し、これによる塩垂れと呼ばれる水槽外への塩水の染み出しの原因になっており、特に夏場は水温を気化熱によって下げるファンによる冷却が安価でもあることから広く普及しているが、風を水面に吹き付けるために水槽を覆っているガラス等のフタを外す必要があり、この水面が曝露された状態でのエアレーションによる水の飛散が防げる意義は大きい。また、形状による自由度の高さから好みのエアーストーン及び水中フィルターを選べるという意味でも選択の幅を広げることができる。
【図面の簡単な説明】
【００１１】
【図１】発明案装置のみを示した断面図である。
【図２】エアストーンを装着した一実施形態を示した断面図である。
【図３】発明装置による泡の模式的な流路を示した断面図である。
【図４】水中フィルターに装着した一実施形態を示した断面図である。
【図５】この発明の一実施形態を表す俯瞰図である。
【発明を実施するための形態】
【００１２】  この発明の一実施形態を、図３に示す。
【００１３】  本発明による、泡消装置は、泡受け拡散板（１）と泡消しカウル（２）、Ｌ型チューブジョイント（４）及びポンプからの送気を受けるエアーチューブ（Ｇ２）、エアストーンを装置の中央真下でつり下げることを目的とする硬質エアーチューブ（３）、エアーストーンジョイント（６）及びエアストーン（Ｇ１）によって構成される。
【実施形態の効果】
【００１４】  この実施形態によれば、エアストーン（Ｇ１）から放出された気泡は上昇水流を作り、泡受け拡散板（１）に至る。次に泡は、泡受け拡散板（１）の下面を舐めるように放射状に均等に拡散し、泡消しカウル（２）の内側側面（Ｓ４）喫水線近くに衝突する。次々と押し寄せる泡の圧力によって泡が結合し、更に泡受け拡散板（１）上部と泡消しカウル（２）によってなる閉空間に誘導されることによって泡は効率的に消滅し、水槽内外への水の飛散による汚れを防止する効果を期待できる。
【他の実施形態】
【００１５】  図１，図２、図３、図５で示した実施形態は、エアーストーンを単独で利用する場合の標準的な機器構成となるが、図４の実施例のように水中フィルター接続アタッチメント（７）を介して水中フィルター（Ｇ３）を接続することによって、より広いユーザーに利用してもらうことが可能となる。
【符号の説明】
【００１６】（１）  泡受け拡散板本体
（１ａ）泡受け拡散板・浮力部品
（１ｂ）泡受け拡散板・整流部品
（２）  泡消しカウル
（３）  硬質エアチューブ
（４）  Ｌ型チューブジョイント
（５）  泡消しカウルエア抜き穴
（６）  エアストーンジョイント
（７）  水中フィルター接続アタッチメント
（Ｇ１）エアチューブ（市販品）
（Ｇ２）エアストーン（市販品））
（Ｇ３）水中フィルター（市販品）
（Ｓ１）水流の模式図
（Ｓ２）水面
（Ｓ３）気泡
（Ｓ４）泡消しカウル内側泡水流衝突部位
【図１】
2014018203.tif 000003
【図２】
2014018203.tif 000004
【図３】
2014018203.tif 000005
【図４】
2014018203.tif 000006
【図５】
2014018203.tif 000007